(57)【特許請求の範囲】
【請求項１】
被記録媒体を載せる載置台と、
上記載置台を支持する支持台と、
上記支持台に対する上記載置台の高さを調節する高さ調節機構と、
上記高さ調節機構で調節された高さにて、上記支持台に対する上記載置台の位置を固定する位置固定機構と、を備え、
調節のために上記高さ調節機構を操作する部位と、固定のために上記位置固定機構を操作する部位とが、上記載置台からみて同じ側にあり、
上記高さ調節機構には、内側貫通口が設けられており、当該内側貫通口は、上記位置固定機構を貫通させる透孔となっており、上記位置固定機構が、上記高さ調節機構の上記内側貫通口に挿入されることで、上記高さ調節機構と、上記位置固定機構とが同一直線上にあることを特徴とする印刷装置。
【請求項２】
被記録媒体を載せる載置台と、
上記載置台を支持する支持台と、
上記支持台に対する上記載置台の高さを調節する高さ調節機構と、
上記高さ調節機構で調節された高さにて、上記支持台に対する上記載置台の位置を固定する位置固定機構と、を備え、
調節のために上記高さ調節機構を操作する部位と、固定のために上記位置固定機構を操作する部位とが、上記載置台からみて同じ側にあり、
上記高さ調節機構は、上記載置台に設けられた高さ調節ネジ用貫通口を通り、自ネジの側壁が上記高さ調節ネジ用貫通口の内壁に螺合するとともに、上記支持台に当接する当接部を備えている高さ調節ネジであり、
上記高さ調節ネジを回転させることにより、上記当接部が上記載置台から上記支持台側に突出する突出高さが調節され、上記支持台に対する上記載置台の高さが調節されるようになっており、
上記位置固定機構は、上記載置台に設けられた位置固定ネジ用貫通口を通る位置固定ネジであることを特徴とする印刷装置。
【請求項３】
上記高さ調節ネジ用貫通口と上記位置固定ネジ用貫通口とは同一の貫通口であり、
上記高さ調節ネジには、上記位置固定ネジ用貫通口の深さ方向に平行な直線を中心軸とする内側貫通口が設けられており、
上記位置固定ネジは、径が上記内側貫通口の径より大きい鍔部、及び上記内側貫通口を貫通し、上記支持台に設けられた雌ネジに螺合する延設部を備えていることを特徴とする請求項２に記載の印刷装置。
【発明の詳細な説明】
【技術分野】
【０００１】
本発明は印刷装置に関する。
【背景技術】
【０００２】
特許文献１には、プラテンに対するキャリッジシャフトの平行度を調節することを目的としたインクジェットプリンタが記載されている。
【先行技術文献】
【特許文献】
【０００３】
【特許文献１】特開平１１−２０８０５２号公報（１９９９年８月３日公開）
【発明の概要】
【発明が解決しようとする課題】
【０００４】
特許文献１は、キャリッジの高さを調整する技術であり、キャリッジは、通常の場合、Ｙバーに精度よく固定されている。
【０００５】
これに対し、プラテンの位置は、通常の場合、精度があまり良くない状態で固定されている。
【０００６】
本発明は、このような事情に鑑みてなされたものであり、プラテン等の被記録媒体の載置台を、位置精度良く、かつ、作業性良く固定するための技術を提供することを主たる目的とする。
【課題を解決するための手段】
【０００７】
本発明に係る印刷装置は、被記録媒体を載せる載置台と、上記載置台を支持する支持台と、上記支持台に対する上記載置台の高さを調節する高さ調節機構と、上記高さ調節機構で調節された高さにて、上記支持台に対する上記載置台の位置を固定する位置固定機構と、を備え、調節のために上記高さ調節機構を操作する部位と、固定のために上記位置固定機構を操作する部位とが、上記載置台からみて同じ側にあることを特徴としている。
【０００８】
上記の構成によれば、支持台に対する、プラテン等の載置台の高さを調節する機構と固定する機構を備えているので、載置台の高さを調節して精度良く固定することができる。
【０００９】
また、プラテン等の載置台からみて同じ側から高さ調節及び位置固定の操作を行なえるので、簡便に高さ調節及び位置固定を行なうことができる。例えば、高さ調節のための機構と位置固定のための機構とが別々の場所にあり、一方が、他の部材の奥に隠れているなどの事情で、高さ調節及び位置固定をするためには当該他の部材を外す必要がある場合がある。そのような場合には、高さ調節及び位置固定のための作業が極めて煩雑となる。上記の構成によれば、高さ調節機構を操作する部位と、位置固定機構を操作する部位とが、上記載置台からみて同じ側にあるため、各機構を調節するために載置台の一方向のみで作業のスペースを確保すればよい。よって、より簡易に高さ調節及び位置固定を行なうことができる。
【００１０】
本発明に係る印刷装置では、上記高さ調節機構と、上記位置固定機構とが同一直線上にあることがより好ましい。
【００１１】
各機構を設けるためのスペースをそれぞれの機構に応じて設ける必要がないため、省スペースである。これにより、例えば、カッターを備えた印刷装置や、プラテン上に吸引孔を備えた印刷装置等において、カッターや吸引孔等の配置の自由度を向上させることができる。したがって、上記構成は、カッター付プリンター等において有用な構成である。また、同一直線を基準にして調節及び固定を行なえるので、高さ調節の精度が向上する。
【００１２】
本発明に係る印刷装置では、上記高さ調節機構は、上記載置台に設けられた高さ調節ネジ用貫通口を通り、自ネジの側壁が上記高さ調節ネジ用貫通口の内壁に螺合するとともに、上記支持台に当接する当接部を備えている高さ調節ネジであり、上記高さ調節ネジを回転させることにより、上記当接部が上記載置台から上記支持台側に突出する突出高さが調節され、上記支持台に対する上記載置台の高さが調節されるようになっており、上記位置固定機構は、上記載置台に設けられた位置固定ネジ用貫通口を通る位置固定ネジであることがより好ましい。
【００１３】
ネジという簡易な部材で高さ調節機構及び位置固定機構を実現できるので、装置を簡易な構成にすることができる。
【００１４】
本発明に係る印刷装置では、上記高さ調節ネジ用貫通口と上記位置固定ネジ用貫通口とは同一の貫通口であり、上記高さ調節ネジには、上記位置固定ネジ用貫通口の深さ方向に平行な直線を中心軸とする内側貫通口が設けられており、上記位置固定ネジは、径が上記内側貫通口の径より大きい鍔部、及び上記内側貫通口を貫通し、上記支持台に設けられた雌ネジに螺合する延設部を備えていることがより好ましい。
【００１５】
簡易な構成で、且つ、高精度で、高さ調節及び位置固定を行なうことができる。
【発明の効果】
【００１６】
本発明によれば、プラテン等の載置台の高さを調節して固定することができるという効果を奏する。
【図面の簡単な説明】
【００１７】
【図１】本発明の一実施形態に係る印刷装置の概略構成を模式的に示す側方断面図である。
【図２】（ａ）は、本発明の一実施形態に係る印刷装置における調節機構の概略構成を模式的に示す側方断面図であり、（ｂ）は、調節機構の周辺の載置台及び支持台の概略構成を模式的に示す側方断面図であり、（ｃ）は、高さ調節機構の概略構成を模式的に示す斜視図である。
【図３】本発明の一実施形態に係る印刷装置における調節機構の配置の一例を示す上面図である。
【図４】本発明の変形例における調節機構の概略構成を模式的に示す側方断面図である。
【発明を実施するための形態】
【００１８】
以下、本発明の実施の形態について、図面を参照して詳細に説明する。
【００１９】
（印刷装置の概要）
図１は、本発明の一実施形態に係る印刷装置１００の概略構成を模式的に示す側方断面図である。図１に示すように、印刷装置１００は、ヘッド１０、キャリッジ２０、ガイド機構３０、プラテン（載置台）４０、ブラケット（支持台）５０、及び搬送ローラ６０を備えており、紙、布等のメディア（被記録媒体）１に画像を記録（印刷）するインクジェット記録装置である。
【００２０】
ヘッド１０は、メディア１に対してインクを吐出する記録ヘッドである。キャリッジ２０がヘッド１０を駆動し、搬送ローラ６０がメディア１を搬送することにより、ヘッド１０及び／又はメディア１は、走査方向及び副走査方向に相対移動するようになっている。なお、ガイド機構３０は、キャリッジ２０の移動方向をガイドする部材である。
【００２１】
また、プラテン４０は、ヘッド１０の直下に配設され、メディア１を載置する載置台である。つまり、印刷装置１００は、メディア１がプラテン４０に載置された状態で、ヘッド１０及び／又はメディア１を相対移動させながら、ヘッド１からインクを吐出することにより、メディア（被記録媒体）１に画像を記録（印刷）する。
【００２２】
また、ブラケット５０は、印刷装置１００に対して固定されており、プラテン４０の支持台として働く。そして、プラテン４０は、ブラケット５０によって支持されるとともに、後述する調節機構によって、ヘッド１０に近接する方向及びヘッド１０から離間する方向に調節可能なようになっている。このようにプラテン４０を、ヘッド１０に対して離接方向に調節可能なように構成することにより、ヘッド１０とメディア１との間隔を調節し、メディア１に対する記録品質を向上させることができる。
【００２３】
（調節機構）
調節機構は、ブラケット５０に対するプラテン４０の高さを調節する高さ調節機構と、当該高さ調節機構で調節された高さにて、ブラケット５０に対するプラテン４０の位置を固定する位置固定機構とから構成される。印刷装置１００が、ブラケット５０に対する、プラテン４０の高さを調節する機構と固定する機構を備えていることにより、プラテン４０の高さを調節して固定することができる。
【００２４】
以下、図面を参照して本実施形態における調節機構の構成を説明する。図２（ａ）は、印刷装置１００における調節機構の概略構成を模式的に示す側方断面図である。また、図２（ｂ）は、調節機構の周辺におけるプラテン４０及びブラケット５０の概略構成を模式的に示す側方断面図である。また、図２（ｃ）は、高さ調節機構の概略構成を模式的に示す斜視図である。
【００２５】
図２（ａ）に示すように、本実施形態において、高さ調節機構は、高さ調節ネジ４１によって構成されており、位置固定機構は、位置固定ネジ４２によって構成されている。
【００２６】
高さ調節ネジ４１は、プラテン４０に設けられた貫通口（高さ調節ネジ用貫通口、位置固定ネジ用貫通口）４３を通り、自ネジの側壁４１ａが貫通口４３の内壁４３ａに螺合する。高さ調節ネジ４１の軸は、貫通口４３の深さ方向に平行な直線であり、軸を中心に回転させることにより、プラテン４０に対して貫通口４３の深さ方向に移動するようになっている。すなわち、高さ調節ネジ４１の上面（ブラケット５０とは反対側の端部）には、ドライバー等が係合する係合溝４１ｃが形成されており、ドライバー等を用いて高さ調節ネジ４１を回転させることにより、高さ調節ネジ４１が貫通口４３の深さ方向に移動するようになっている。そして、高さ調節ネジ４１を、プラテン４０のブラケット５０側の面から突出させて、高さ調節ネジ４１の下面（当接部、ブラケット５０側の端部）４１ｂをブラケット５０に当接させることにより、ブラケット５０に対するプラテン４０の高さ（プラテン４０とブラケット５０との間隔Ｄ）を調節することができる。
【００２７】
また、高さ調節ネジ４１には、貫通口４３の深さ方向に平行な直線を中心軸とする内側貫通口４４が設けられている。位置固定ネジ４２は、径が内側貫通口４４の径より大きい鍔部４２ａ、及び内側貫通口４４を貫通し、ブラケット５０に設けられた雌ネジ５１に螺合する延設部４２ｂを備えている。このように、内側貫通口４４は、位置固定ネジ４２を貫通させる透孔となっており、位置固定ネジ４２は、ブラケット５０に螺合する。これにより、高さ調節ネジ４１で調節された高さにて、ブラケット５０に対するプラテン４０の位置を固定することができる。すなわち、鍔部４２ａの上面（ブラケット５０とは反対側の端部）には、ドライバー等が係合する係合溝が形成されており、ドライバー等を用いて位置固定ネジ４２を回転させることにより、位置固定ネジ４２の鍔部４２ａの下面（ブラケット５０側の端部）と、ブラケット５０の上面との間にプラテン４０を挟持させ、プラテン４０とブラケット５０とを固定する。
【００２８】
なお、鍔部４２ａの径は、内側貫通口４４の径より大きければよく、必ずしも、貫通口４３の径より大きくなくともよい。なお、鍔部４２ａの径が貫通口４３の径よりも小さい場合には、鍔部４２ａの下面が高さ調節ネジ４１の上面に当接することにより、プラテン４０とブラケット５０とを固定することができる。
【００２９】
本実施形態における調節機構を利用した高さ調節及び位置固定は、例えば、以下の様に行うことができる。まず、図２（ｂ）の状態のプラテン４０の貫通口４３に高さ調節ネジ４１を挿入して、ブラケット５０に対するプラテン４０の高さを調節する。すなわち、高さ調節ネジ４１の上面には、プラスドライバー等が係合する係合溝４１ｃが形成されており、ドライバー等を用いて高さ調節ネジ４１を回転させることにより、高さ調節ネジ４１の下面４１ｂがプラテン４０からブラケット５０側に突出する突出高さを調節することができる。これにより、プラテン４０の上面側（ブラケット５０とは反対側）から、ブラケット５０に対するプラテン４０の高さを調節することができる。続いて、高さ調節ネジ４１の内側貫通口４４及びブラケット５０の雌ネジ５１に位置固定ネジ４２を挿入して、高さ調節ネジ４１で調節された高さにて、ブラケット５０に対するプラテン４０の位置を固定する。なお、固定は、プラテン４０の上面側からドライバー等を用いて位置固定ネジ４２を回転させ、位置固定ネジ４２の鍔部４２ａの下面とブラケット５０の上面との間にプラテン４０を挟持させ、プラテン４０とブラケット５０とを固定することにより行なうことができる。
【００３０】
なお、調節機構は、プラテン４０の１箇所以上の位置に設けることができる。図３に、プラテン４０における調節機構の配置の一例を示す。図３は、プラテン４０をブラケット５０とは反対側から見た上面図である。図３に示すように、調節機構は、例えば、プラテン４０の外縁部に複数箇所設けてもよい。
【００３１】
（本実施形態の効果）
このように、本実施形態では、プラテン４０からみて同じ側から高さ調節及び位置固定の操作を行なえる。そのため、簡便に高さ調節及び位置固定を行なうことができる。このような構成は、他の構成に比べて非常に有利である。
【００３２】
なぜなら、例えば、高さ調節のための機構と位置固定のための機構とが別々の場所にある場合、両方の機構について、作業のスペースを確保することは設計上困難であり、一方の機構が他の部材の奥に隠れてしまう場合がある。このような場合、高さ調節及び位置固定をするためには当該他の部材を外す必要があり、高さ調節及び位置固定のための作業が極めて煩雑となる。
【００３３】
これに対し、本実施形態の構成によれば、高さ調節機構（高さ調節ネジ４１）を操作する部位と、位置固定機構（位置固定ネジ４２）を操作する部位とが、プラテン４０の同じ側（プラテン４０におけるブラケット５０とは反対側）にあるため、各機構を調節するためにプラテン４０の一方向のみで作業のスペースを確保すればよい。よって、より簡易に高さ調節及び位置固定を行なうことができる。
【００３４】
また、本実施形態では、位置固定ネジ４２が、高さ調節ネジ４１に挿入されるようになっており、高さ調節機構（高さ調節ネジ４１）と、位置固定機構（位置固定ネジ４２）とが同一直線上にある。
【００３５】
このように構成されることによって、各機構を設けるためのスペースをそれぞれの機構に応じて設ける必要がないため、省スペースである。また、同一直線を基準にして調節及び固定を行なえるので、高さ調節の精度が向上する。
【００３６】
このような構成は、特に、印刷装置１００が、プラテン４０の近傍に設けるべき部材（例えば、カッター、ヒーター、吸着ファン等）を備えているときに有利である。すなわち、プラテン４０に、カッター溝、ヒーター線、吸着ファン用の穴等の特別な構造を設ける必要がある場合、プラテン４０上に、高さ調節及び位置固定のための構造物を多く設けることは好ましくない。なぜならば、上記部材の配置の自由度が著しく制限されるからである。それゆえ、本実施形態のように、高さ調節機構（高さ調節ネジ４１）と、位置固定機構（位置固定ネジ４２）とを同一直線上に配置して省スペース化することが好ましい。
【００３７】
（変形例）
なお、本実施形態では、調節のために高さ調節ネジ４１を操作する部位と、固定のために位置固定ネジ４２を操作する部位とが、何れも、プラテン４０からみて、ブラケット５０とは反対側にあるが、本発明はこれに限定されない。例えば、調節のために高さ調節ネジ４１を操作する部位と、固定のために位置固定ネジ４２を操作する部位とが、何れも、プラテン４０からみて、ブラケット５０側にあってもよい。
【００３８】
また、高さ調節機構と位置固定機構とは、同一直線上に配置されていなくともよい。例えば、プラテン４０上の異なる位置に、高さ調節ネジ用貫通口と、位置固定ネジ用貫通口とが設けられており、高さ調節ネジ４１が、高さ調節ネジ用貫通口に、位置固定ネジ４２が、位置固定ネジ用貫通口に挿入されており、それぞれのネジを操作する部位が、プラテン４０からみて同じ側にある構成であってもよい。
【００３９】
以上のような構成であっても、調節のために高さ調節ネジ４１を操作する部位と、固定のために位置固定ネジ４２を操作する部位とが、プラテン４０からみて同じ側にあれば、各機構を調節するためにプラテン４０の一方向のみで作業のスペースを確保すればよいため、本実施形態と同様、簡易に高さ調節及び位置固定を行なうことができる。
【００４０】
また、本実施形態において、高さ調節機構及び位置固定機構は、それぞれ、ネジによって構成しているが、本発明はこれに限定されない。例えば、図４に示すような構成であってもよい。すなわち、図４に示すように、位置固定機構として、位置固定ネジ４２の代わりに、ブラケット５０から延伸する雄ネジ５２に螺合するナット４５を設けてもよい。
【００４１】
＜付記事項＞
以上のように、本発明の一実施形態に係る印刷装置１００は、メディア１を載せるプラテン４０と、プラテン４０を支持するブラケット５０と、ブラケット５０に対するプラテン４０の高さを調節する高さ調節ネジ４１と、高さ調節ネジ４１で調節された高さにて、ブラケット５０に対するプラテン４０の位置を固定する位置固定ネジ４２と、を備え、調節のために高さ調節ネジ４１を操作する部位と、固定のために位置固定ネジ４２を操作する部位とが、プラテン４０からみて同じ側に形成されている。
【００４２】
上記の構成によれば、ブラケット５０に対する、プラテン４０の高さを調節する機構と固定する機構を備えているので、プラテン４０の高さを調節して精度良く固定することができる。
【００４３】
また、プラテン４０からみて同じ側から高さ調節及び位置固定の操作を行なえるので、簡便に高さ調節及び位置固定を行なうことができる。例えば、高さ調節のための機構と位置固定のための機構とが別々の場所にあり、一方が、他の部材の奥に隠れているなどの事情で、高さ調節及び位置固定をするためには当該他の部材を外す必要がある場合がある。そのような場合には、高さ調節及び位置固定のための作業が極めて煩雑となる。上記の構成によれば、高さ調節ネジ４１を操作する部位と、位置固定ネジ４２を操作する部位とが、プラテン４０からみて同じ側にあるため、各機構を調節するためにプラテン４０の一方向のみで作業のスペースを確保すればよい。よって、より簡易に高さ調節及び位置固定を行なうことができる。
【００４４】
また、本実施形態において、高さ調節ネジ４１と、位置固定ネジ４２とが同一直線上に形成されている。
【００４５】
各機構を設けるためのスペースをそれぞれの機構に応じて設ける必要がないため、省スペースである。また、同一直線を基準にして調節及び固定を行なえるので、高さ調節の精度が向上する。
【００４６】
また、本実施形態において、高さ調節ネジ４１は、プラテン４０に設けられた高さ調節ネジ用貫通口（例えば、貫通口４３）を通り、自ネジの側壁が当該高さ調節ネジ用貫通口の内壁に螺合するとともに、ブラケット５０に当接する下面４１ｂを備えており、高さ調節ネジ４１を回転させることにより、高さ調節ネジ４１の下面４１ｂがプラテン４０からブラケット５０側に突出する突出高さが調節され、ブラケット５０に対するプラテン４０の高さが調節されるようになっており、位置固定ネジ４２は、プラテン４０に設けられた位置固定ネジ用貫通口（例えば、貫通口４３）を通るように形成されている。
【００４７】
ネジという簡易な部材で高さ調節ネジ４１及び位置固定ネジ４２を実現できるので、装置を簡易な構成にすることができる。
【００４８】
また、本実施形態において、上記高さ調節ネジ用貫通口と上記位置固定ネジ用貫通口とは同一の貫通口（貫通口４３）であり、高さ調節ネジ４１には、貫通口４３の深さ方向に平行な直線を中心軸とする内側貫通口４４が設けられており、位置固定ネジ４２は、径が内側貫通口４４の径より大きい鍔部４２ａ、及び内側貫通口４４を貫通し、ブラケット５０に設けられた雌ネジ５１に螺合する延設部４２ｂを備えるように形成されている。
【００４９】
簡易な構成で、且つ、高精度で、高さ調節及び位置固定を行なうことができる。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５１】
本発明は、印刷装置の製造分野において利用することができる。
【符号の説明】
【００５２】
１      メディア（被記録媒体）
１０    ヘッド
２０    キャリッジ
３０    ガイド機構
４０    プラテン（載置台）
４１    高さ調節ネジ（高さ調節機構）
４１ａ  側壁
４１ｂ  下面（当接部）
４１ｃ  係合溝
４２    位置固定ネジ（位置固定機構）
４２ａ  鍔部
４２ｂ  延設部
４３    貫通口（高さ調節ネジ用貫通口、位置固定ネジ用貫通口）
４３ａ  内壁
４４    内側貫通口
４５    ナット（位置固定機構）
５０    ブラケット（支持台）
５１    雌ネジ
５２    雄ネジ
６０    搬送ローラ
１００  印刷装置
【図１】
0005804922.tif 000002
【図２】
0005804922.tif 000003
【図３】
0005804922.tif 000004
【図４】
0005804922.tif 000005